(57)【特許請求の範囲】
【請求項１】
液透過性トップシートと、液不透過性シートと、これらの間に介在された主吸収体と、前記液透過性トップシート上に設けられた補助吸収部と、両側部に設けられた前後方向に延在する立体ギャザーとを備えた、吸収性物品において、
前記立体ギャザーは、側部に固定された固定部分と、この固定部分から突出する突出部分とを有するとともに、この突出部分のうち前後端部がそれぞれ倒伏状態で固定された非起立部とされ、これら非起立部間の部分が非固定の起立部とされ、且つこの起立部にギャザー弾性伸縮部材が前後方向に伸張した状態で固定されたものであり、
前記補助吸収部は、一方の前記立体ギャザーの固定部分近傍から他方の前記立体ギャザーの固定部分近傍までの幅で前後方向に延在する部分であって、かつ前後方向中間部に固定された付け根部と、この付け根部から延出する本体部とを有し、本体部のうち付け根部側の端部が吸収体を有しない液透過部分とされるとともに、先端側の部分が吸収体を有する吸収部分とされており、
前記補助吸収部の本体部のうち、前記液透過部分を前側に倒すとともに、その先端側の前記吸収部分を後側に倒した状態とすることが可能であり、かつこの状態で前記吸収部分は少なくとも前記トップシート側の面から尿を吸収可能なように構成されており、
前記液透過部分を前側に倒して前斜め上向きに傾斜させるとともに、その先端側の前記吸収部分を後側に倒した状態で、前記吸収部分の先端が立体ギャザーの非起立部の前端に当接するように構成されている、
ことを特徴とする使い捨ておむつ。
【請求項２】
前記立体ギャザーの非起立部が、前記補助吸収部の付け根部より後側に、前後方向に間隔を空けて複数設けられている、請求項１記載の使い捨ておむつ。
【請求項３】
前記補助吸収部は、本体部全体が付け根部よりも前側に倒伏されて平坦とされた状態で、本体部の先端部が前記トップシートに対して分離可能に固定されており、この本体部の先端部を前記トップシートから分離することにより、前記液透過部分を前側に倒すとともに、その先端側の前記吸収部分を後側に倒すことが可能なように構成されている、請求項１又は２記載の吸収性物品。
【請求項４】
前記補助吸収部の吸収部分は表裏両面から尿を吸収可能なように構成されるとともに、先端側及び付け根部側の２つの部分に分離可能とされている、請求項３記載の使い捨ておむつ。
【請求項５】
液透過性トップシートと、液不透過性シートと、これらの間に介在された主吸収体と、前記液透過性トップシート上に設けられた補助吸収部と、両側部に設けられた前後方向に延在する立体ギャザーとを備えた、吸収性物品において、
前記立体ギャザーは、側部に固定された固定部分と、この固定部分から突出する突出部分とを有するとともに、この突出部分のうち前後端部がそれぞれ倒伏状態で固定された非起立部とされ、これら非起立部間の部分が非固定の起立部とされ、且つこの起立部にギャザー弾性伸縮部材が前後方向に伸張した状態で固定されたものであり、
前記補助吸収部は、一方の前記立体ギャザーの固定部分近傍から他方の前記立体ギャザーの固定部分近傍までの幅で前後方向に延在する部分であって、かつ前後方向中間部に固定された付け根部と、この付け根部から延出する本体部とを有し、本体部のうち付け根部側の端部が吸収体を有しない液透過部分とされるとともに、先端側の部分が吸収体を有する吸収部分とされており、
前記補助吸収部は、本体部全体が付け根部よりも前側に倒伏されて平坦とされた状態で、本体部の先端部が前記トップシートに対して分離可能に固定されており、この本体部の先端部を前記トップシートから分離することにより、前記液透過部分を前側に倒すとともに、その先端側の前記吸収部分を後側に倒した状態とすることが可能であり、
前記補助吸収部の吸収部分は表裏両面から尿を吸収可能なように構成されるとともに、先端側及び付け根部側の２つの部分に分離可能とされており、
前記補助吸収部の吸収部分を、先端側及び付け根部側の２つの部分に分離しない状態で、前記液透過部分を前側に倒して前斜め上向きに傾斜させるとともに、その先端側の前記吸収部分を後側に倒したときの、前記吸収部分の先端が当接する位置と、
前記補助吸収部の吸収部分を、先端側及び付け根部側の２つの部分に分離した状態で、前記液透過部分を前側に倒して前斜め上向きに傾斜させるとともに、その先端側に連なる前記吸収部分の付け根部側の部分を後側に倒したときの、前記吸収部分の付け根部側の部分の先端が当接する位置とに、
前記立体ギャザーの非起立部がそれぞれ設けられている、ことを特徴する使い捨ておむつ。
【発明の詳細な説明】
【技術分野】
【０００１】
本発明は、パッドタイプ、テープタイプ、パンツタイプ等の使い捨ておむつに関するものである。
【背景技術】
【０００２】
成人向けの使い捨ておむつとしては、パッドタイプ（特許文献１，２参照）、テープタイプ、パンツタイプ等の形態のものが提供されている。また、パッドタイプの一形態として、表裏両面から吸収可能な補助吸収性物品も提供されている。
一般に、就寝時用の使い捨ておむつの場合、複数回の排尿に対しても繰り返し吸収可能な吸収量を持たせることが行われている。例えば、特許文献１記載のものは、補助吸収部を後側に倒すことにより、臀部の吸収量を増加させることができる。
しかしながら、就寝時には尿が臀部側に流れやすく、臀部等の背側の肌が尿で湿潤した状態となり易い。その結果、背側の肌がふやけたり、かぶれたりするおそれがあるとともに、高齢者の場合には褥瘡の原因ともなる。
【先行技術文献】
【特許文献】
【０００３】
【特許文献１】特開２０１１−１３５９７７号公報
【特許文献２】特開２０１１−５６０９１号公報
【発明の概要】
【発明が解決しようとする課題】
【０００４】
そこで、本発明の主たる課題は、背側の肌が尿で湿潤するのを効果的に防止することにある。
【課題を解決するための手段】
【０００５】
上記課題を解決した本発明は次記のとおりである。
＜請求項１記載の発明＞
液透過性トップシートと、液不透過性シートと、これらの間に介在された主吸収体と、前記液透過性トップシート上に設けられた補助吸収部と、両側部に設けられた前後方向に延在する立体ギャザーとを備えた、吸収性物品において、
前記立体ギャザーは、側部に固定された固定部分と、この固定部分から突出する突出部分とを有するとともに、この突出部分のうち前後端部がそれぞれ倒伏状態で固定された非起立部とされ、これら非起立部間の部分が非固定の起立部とされ、且つこの起立部にギャザー弾性伸縮部材が前後方向に伸張した状態で固定されたものであり、
前記補助吸収部は、一方の前記立体ギャザーの固定部分近傍から他方の前記立体ギャザーの固定部分近傍までの幅で前後方向に延在する部分であって、かつ前後方向中間部に固定された付け根部と、この付け根部から延出する本体部とを有し、本体部のうち付け根部側の端部が吸収体を有しない液透過部分とされるとともに、先端側の部分が吸収体を有する吸収部分とされており、
前記補助吸収部の本体部のうち、前記液透過部分を前側に倒すとともに、その先端側の前記吸収部分を後側に倒した状態とすることが可能であり、かつこの状態で前記吸収部分は少なくとも前記トップシート側の面から尿を吸収可能なように構成されており、
前記液透過部分を前側に倒して前斜め上向きに傾斜させるとともに、その先端側の前記吸収部分を後側に倒した状態で、前記吸収部分の先端が立体ギャザーの非起立部の前端に当接するように構成されている、
【０００６】
（作用効果）
本発明では、単なる補助吸収部ではなく、上述のように特徴的な補助吸収部を設けたことにより、補助吸収部の本体部のうち液透過部分を前側に倒すとともに、その先端側の吸収部分を後側に倒した状態とすることができ、かつこの状態で吸収部分は少なくともトップシート側の面から尿を吸収可能となるため、後側へ移動する尿をこの吸収部分とトップシートとの間に誘導して、主に下側の吸収体により吸収することができる。この際、吸収部分は尿により濡れる部分をカバーして肌への接触を防止する機能を果たすことになる。
【０００７】
【０００８】
また、このような構成とすることにより、補助吸収部の吸収部分を後側に倒しつつその先端部を立体ギャザーとトップシートとの間に差し込んで非起立部の前端に当接させることにより、吸収部分の先端部を立体ギャザーとトップシートとの間に挟持させることができ、これにより、液透過部分を前斜め上向きとし、かつこれを後側の吸収部分で支える姿勢（以下、傾斜浮上姿勢ともいう）とすることができる。この傾斜浮上姿勢では、吸収部分が前側ほどトップシートから浮き上がり、液透過部分が立ち上がるため、吸収部分とトップシートとの隙間が大きくなり、液透過部分を介した吸収部分裏側への尿導入が促進される。
【０００９】
＜請求項２記載の発明＞
前記立体ギャザーの非起立部が、前記補助吸収部の付け根部より後側に、前後方向に間隔を空けて複数設けられている、請求項１記載の使い捨ておむつ。
【００１０】
（作用効果）
このように立体ギャザーの非起立部が複数設けられていると、補助吸収部の先端部を当接させる非起立部を適宜選択することにより、補助吸収部を前述の傾斜浮上姿勢とするときの傾斜角度を調節することが可能となる。
【００１１】
＜請求項３記載の発明＞
前記補助吸収部は、本体部全体が付け根部よりも前側に倒伏されて平坦とされた状態で、本体部の先端部が前記トップシートに対して分離可能に固定されており、この本体部の先端部を前記トップシートから分離することにより、前記液透過部分を前側に倒すとともに、その先端側の前記吸収部分を後側に倒すことが可能なように構成されている、請求項１又は２記載の吸収性物品。
【００１２】
（作用効果）
このような構造とすることにより、製造時や製品使用前に補助吸収部が折れ曲がって不都合を生じることがなくなるとともに、補助吸収部の先端部をトップシートから分離して後側に倒しつつ立体ギャザーとトップシートとの間に差し込むだけで、簡単に、液透過部分を前側に倒すとともに、その先端側の吸収部分を後側に倒した状態とすることができる。
【００１３】
＜請求項４記載の発明＞
前記補助吸収部の吸収部分は表裏両面から尿を吸収可能なように構成されるとともに、先端側及び付け根部側の２つの部分に分離可能とされている、請求項３記載の使い捨ておむつ。
【００１４】
（作用効果）
この形態では、吸収部分を２つの部分に分離することにより、吸収部分の先端側の分離部分は先端部がトップシートに固定された状態で残り、前側へ移動する尿をこの残置分離部分とトップシートとの間に尿を誘導して主に下側の吸収体により吸収することができる。なお、この形態では残置分離部分の表面でも吸収可能ではある。また、吸収部分の付け根部側の分離部分によって、前述の本発明の特徴的な構造を形成できる。つまり液透過部分を前側に倒すとともに、その先端側の分離部分を後側に倒した状態とすることが可能であり、かつこの状態で分離部分はトップシート側の面から尿を吸収可能となる。もちろん、吸収部分は分離せずに使用することも可能である。
【００１５】
＜請求項５記載の発明＞
液透過性トップシートと、液不透過性シートと、これらの間に介在された主吸収体と、前記液透過性トップシート上に設けられた補助吸収部と、両側部に設けられた前後方向に延在する立体ギャザーとを備えた、吸収性物品において、
前記立体ギャザーは、側部に固定された固定部分と、この固定部分から突出する突出部分とを有するとともに、この突出部分のうち前後端部がそれぞれ倒伏状態で固定された非起立部とされ、これら非起立部間の部分が非固定の起立部とされ、且つこの起立部にギャザー弾性伸縮部材が前後方向に伸張した状態で固定されたものであり、
前記補助吸収部は、一方の前記立体ギャザーの固定部分近傍から他方の前記立体ギャザーの固定部分近傍までの幅で前後方向に延在する部分であって、かつ前後方向中間部に固定された付け根部と、この付け根部から延出する本体部とを有し、本体部のうち付け根部側の端部が吸収体を有しない液透過部分とされるとともに、先端側の部分が吸収体を有する吸収部分とされており、
前記補助吸収部は、本体部全体が付け根部よりも前側に倒伏されて平坦とされた状態で、本体部の先端部が前記トップシートに対して分離可能に固定されており、この本体部の先端部を前記トップシートから分離することにより、前記液透過部分を前側に倒すとともに、その先端側の前記吸収部分を後側に倒した状態とすることが可能であり、
前記補助吸収部の吸収部分は表裏両面から尿を吸収可能なように構成されるとともに、先端側及び付け根部側の２つの部分に分離可能とされており、
前記補助吸収部の吸収部分を、先端側及び付け根部側の２つの部分に分離しない状態で、前記液透過部分を前側に倒して前斜め上向きに傾斜させるとともに、その先端側の前記吸収部分を後側に倒したときの、前記吸収部分の先端が当接する位置と、
前記補助吸収部の吸収部分を、先端側及び付け根部側の２つの部分に分離した状態で、前記液透過部分を前側に倒して前斜め上向きに傾斜させるとともに、その先端側に連なる前記吸収部分の付け根部側の部分を後側に倒したときの、前記吸収部分の付け根部側の部分の先端が当接する位置とに、
前記立体ギャザーの非起立部がそれぞれ設けられている、ことを特徴する使い捨ておむつ。
【００１６】
（作用効果）
このように構成することにより、前述の補助吸収部の吸収部分を分離可能とした形態において、その分離に関係なく、補助吸収部を前述の傾斜浮上姿勢とすることができる。
【発明の効果】
【００１７】
以上のとおり、本発明によれば、背側の肌が尿で湿潤するのを効果的に防止することができる、等の利点がもたらされる。
【図面の簡単な説明】
【００１８】
【図１】展開状態のパッドタイプ使い捨ておむつの表面側を示す平面図である。
【図２】立体ギャザーを取り外し、展開した状態のパッドタイプ使い捨ておむつの表面側を示す平面図である。
【図３】図１のＹ−Ｙ断面図である。
【図４】図１のＺ−Ｚ断面図である。
【図５】図１のＸ−Ｘ断面における補助吸収部等を示す図である。
【図６】補助吸収部を傾斜浮上姿勢とする前のパッドタイプ使い捨ておむつを概略的に示す斜視図である。
【図７】補助吸収部を傾斜浮上姿勢とした状態の断面図である。
【図８】補助吸収部を傾斜浮上姿勢とした装着状態のパッドタイプ使い捨ておむつの要部を概略的に示す斜視図である。
【図９】補助吸収部を分離した状態の断面図である。
【図１０】補助吸収部を分離した装着状態のパッドタイプ使い捨ておむつの要部を概略的に示す平面図である。
【発明を実施するための形態】
【００１９】
以下、本発明の一実施形態について、添付図面に示されるパッドタイプ使い捨ておむつの例を参照しながら詳説する。
図１〜図６は、パッドタイプ使い捨ておむつ２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、おむつ全長Ｌ（前後方向長さ）は３５０〜７００ｍｍ程度、おむつ全幅Ｗ１は１３０〜４００ｍｍ程度（ただし、おむつの吸収面の幅より広い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。なお、「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。図示形態のように、物品の前後方向中間あるいは吸収体の前後方向中間に幅の狭い括れ部分を有する場合は、「股間部」は括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。
パッドタイプ使い捨ておむつ２００は、不透液性シート２１の内面と、透液性トップシート２２との間に、主吸収体２３が介在された基本構造を有している。なお、断面図等における点模様部分は各構成部材を接合する接合部分を示しており、ホットメルト接着剤などのベタ、ビード、カーテン、サミットまたはスパイラル塗布などにより形成されるものである。
【００２０】
（主吸収体）
主吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。主吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。高吸収性ポリマー粒子を混合する場合等、必要に応じて、主吸収体２３はクレープ紙等の包装シート（図示せず）により包むことができる。また、主吸収体２３の形状は、相対的に後側の部分が前側の部分よりも幅広な帯状、あるいは長方形状、台形状等、適宜の形状とすることができる。
主吸収体２３は、股間部Ｃ２を含む前後方向中間の所定部分が幅の狭い括れ部分２３ｎとして形成されている。この括れ部分２３ｎの最小幅Ｗ３は、括れ部分２３ｎの前後に位置する非括れ部分の幅（主吸収体２３の全幅）Ｗ２の５０〜６５％程度であるのが好ましい。また、おむつ前端を０％としおむつ後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｗ３となる部位（最小幅部位）は２５〜３０％の範囲に位置しているのが好ましい。
【００２１】
（不透液性シート）
主吸収体２３の裏側には、不透液性シート２１が主吸収体２３の周縁より若干食み出すように設けられている。不透液性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
また、不透液性シート２１の外面は、不織布からなる外装シート２６により被覆することができ、この場合、不透液性シート２１の幅を主吸収体２３の幅と同程度とすることができる。外装シートとしては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２２】
（透液性トップシート）
主吸収体２３の表側は、透液性トップシート２２により覆われている。図示形態ではトップシート２２の側縁から主吸収体２３が一部食み出しているが、主吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
トップシート２２と主吸収体２３との間には、中間シート２５を介在させるのが望ましい。この中間シート２５は、主吸収体２３により吸収した尿の逆戻りを防止するために設けられるものであり、保水性が低く、且つ透液性の高い素材、例えばメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅は主吸収体２３の幅Ｗ２の５０〜９０％程度であるのが好ましい。
【００２３】
（エンドフラップ部・サイドフラップ部）
パッドタイプ使い捨ておむつ２００の前後方向両端部では、外装シート２６および透液性トップシート２２が主吸収体２３の前後端よりも前後両側にそれぞれ延在されて貼り合わされ、主吸収体２３の存在しないエンドフラップ部ＥＦが形成されている。パッドタイプ使い捨ておむつ２００の両側部では、外装シート２６が主吸収体２３の側縁よりも外側にそれぞれ延在され、この延在部からトップシート２２の側部までの部分の内面には立体ギャザーシート３１の幅方向外側の部分３４が前後方向全体にわたり貼り付けられ、主吸収体２３の存在しないサイドフラップ部ＳＦを構成している。これら貼り合わせ部分は、図１では斜線で示されており、ホットメルト接着剤、ヒートシール、超音波シールにより形成できる。外装シート２６を設けない場合、外装シート２６に代えて不透液性シート２１をサイドフラップ部ＳＦまで延在させ、サイドフラップ部ＳＦの外面側を形成することができる。
【００２４】
（立体ギャザー）
表面における両側部には、前後方向に延在する立体ギャザー３０がそれぞれ設けられている。立体ギャザー３０は上述の立体ギャザーシート３１により形成されている。立体ギャザーシート３１の幅方向中央側の部分３２はトップシート２２上にまで延在しており、その幅方向中央側の端部には、立体ギャザー弾性部材３３が前後方向に沿って伸張状態でホットメルト接着剤等により固定されている。
立体ギャザーシート３１の素材としては、プラスチックシートやメルトブローン不織布を使用することもできるが、肌への感触性の点で、不織布にシリコンなどにより撥水処理をしたものが好適に使用される。この立体ギャザー弾性部材３３としては、糸状、紐状、帯状等の細長状に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
また、両立体ギャザーシート３１は、幅方向外側の部分３４が前後方向全体にわたりおむつ内面（図示形態ではトップシート２２表面および外装シート２６内面）に貼り合わされて固定部分３４とされるとともに、幅方向中央側の部分３２がこの固定部分から突出する突出部分３２とされている。そして、この突出部分３２のうち、前後方向の両端部では倒伏状態でおむつ表面（図示形態ではトップシート２２表面）に貼り合わされて非起立部３５とされ、かつこれら非起立部３５間の部分はおむつ表面（図示形態ではトップシート２２表面）に固定されていない起立部３６とされている。この起立部３６は、立体ギャザー弾性部材３３の収縮力が作用することにより、図４に二点差線で示されるように、おむつ表面（図示形態ではトップシート２２表面）から起立して鼠径部等に接触する部分であり、その起立基端３７は立体ギャザーシート３１における固定部分３４と突出部分３２との境に位置する。
【００２５】
（補助吸収部）
トップシート２２上には、一方の立体ギャザー３０の固定部分３４近傍から他方の立体ギャザー３０の固定部分３４近傍までの幅で前後方向に延在する補助吸収部１０が設けられている。この補助吸収部１０は、長方形状等の適宜の形状とすることができる。
特徴的には、補助吸収部１０は、前後方向中間部（図示形態のように中央部及びその近傍が望ましいが、これに限定されない）のトップシート２２表面にホットメルト接着剤５等により固定された付け根部１１と、この付け根部１１から延出する本体部１２，１３とを有し、本体部１２，１３のうち付け根部１１側の端部が吸収体３を有しない液透過部分１２とされるとともに、先端側の部分が吸収体３を有する吸収部分１３とされている。また、図７に示すように、補助吸収部１０は、本体部１２，１３における液透過部分１２を前側に倒すとともに、その先端側の吸収部分１３を後側に倒した状態とすることが可能なように構成される。
【００２６】
補助吸収部１０は付け根部１１以外を非固定としても良いが、製造時や製品使用前に補助吸収部１０が折れ曲がって不都合を生じるおそれがある。よって、補助吸収部１０は、本体部１２，１３全体が付け根部１１よりも前側に倒伏されて平坦とされた状態で、本体部の先端部１４がトップシート２２に対して分離可能に固定されているのが好ましい。このような構造とすることにより、補助吸収部１０の先端側をトップシート２２から分離して後側に倒しつつ立体ギャザー３０とトップシート２２との間に差し込むだけで、簡単に、液透過部分１２を前側に倒すとともに、その先端側の吸収部分１３を後側に倒した状態とすることができる。具体的に図示形態では、本体部の先端部１４がトップシート２２に対してホットメルト接着剤５等により接合され、この接合部分１４の後側近傍に幅方向に沿って先端部ミシン目１５を形成しており、この先端部ミシン目１５を切り離すことにより、本体部１２，１３の先端部１４をトップシート２２から分離できるようになっている。
【００２７】
補助吸収部１０の付け根部１１の固定位置及び前後方向長さは適宜定めることができるが、図示形態のように、液透過部分１２を前側に倒して前斜め上向きに傾斜させるとともに、その先端側の吸収部分１３を後側に倒した状態で、吸収部分１３の先端が立体ギャザー３０の非起立部３５の前端に当接するように構成する。このような構成とすることにより、補助吸収部１０の吸収部分１３を後側に倒しつつその先端部を立体ギャザー３０とトップシート２２との間に差し込んで非起立部の前端に当接させることにより、図７に示すように、吸収部分１３の先端部を立体ギャザー３０とトップシート２２との間に挟持させることができ、これにより、液透過部分１２を前斜め上向きとし、かつこれを後側の吸収部分１３で支える傾斜浮上姿勢とすることができる。この傾斜浮上姿勢では、吸収部分１３が前側ほどトップシート２２から浮き上がり、液透過部分１２が立ち上がるため、吸収部分１３とトップシート２２との隙間が大きくなり、液透過部分１２を介した吸収部分１３裏側への尿導入が促進される。具体的には、液透過部分の長さをＹ１、吸収部分の長さをＹ２、付け根部１１から立体ギャザー３０の非起立部３５の前端までの前後方向長さをＹ３としたとき、
Ｙ２−Ｙ１  ＜  Ｙ３  ＜  （Ｙ２2−Ｙ１2）1/2 
の関係を満たすように構成すると、上述の傾斜浮上姿勢とすることができる。
【００２８】
また、本体部１２，１３における液透過部分１２を前側に倒すとともに、その先端側の吸収部分１３を後側に倒した状態で、吸収部分１３は少なくともトップシート２２側の面から尿を吸収可能なように構成される。この限りにおいて、補助吸収部１０の内部構造は特に限定されず、形状維持性に優れるものであれば吸収性素材単独で構成することもできるが、図４、図５及び図７に示すように、吸収体３と、吸収体３の表裏いずれか一方の面を被覆する透液性第一シート１と、吸収体３の裏面を被覆する透液性第二シート２とを備えた構造が簡素であり好ましい。この場合、第一シート１及び第二シート２の両面から吸収が可能であるため、補助吸収部１０の姿勢に関係なくその表裏両側から尿吸収が可能となる。
【００２９】
第一シート１及び第二シート２としては、有孔または無孔の不織布や有孔プラスチックシートなどが用いられる。不織布を用いる場合、その繊維は特に限定されず、ポリエチレンまたはポリプロピレン等のオレフィン系、ポリエステル系、アミド系等の合成繊維の他、レーヨンやキュプラ等の再生繊維、綿等の天然繊維を用いることができ、また製法も特に限定されず、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。第一シート１及び第二シート２に多数の透孔を形成したプラスチックシートを用いると、尿などが速やかに吸収されるようになり、ドライタッチ性に優れたものとなる。ただし、図示例と異なり、部分的に公知の不透液性シートを配置したり、外部露出面の一部のみ透液性としたりすることも可能である。
【００３０】
第一シート１及び第二シート２は、図示例では吸収体３の周囲からはみ出した部分を接合しているため吸収体３を有しないフラップ部が形成されているが、いずれか一方のシートを吸収体３の周縁部を巻き込むように延在させることで周囲の一部又は全部にフラップ部を有しない構造とすることもできる。また、図示例ではこのフラップ部により付け根部１１及び液透過部分１２を形成しているが、これらの部分は別のシート状等の液透過性素材を連結することにより形成しても良い。
【００３１】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。吸収体３は、形状及びポリマー保持等のため、必要に応じてクレープ紙等の、液透過性及び液保持性を有する包装シート（図示略）によって包装することができる。吸収体３の形状は、図示形態のように長方形状とする他、適宜の形状とすることができる。吸収体３における繊維目付け及び吸収性ポリマーの目付けは適宜定めることができるが、繊維目付けは２５０〜５００ｇ／ｍ2程度とするのが好ましく、また吸収性ポリマーの目付けは５０〜２５０ｇ／ｍ2程度とするのが好ましい。
【００３２】
以上のように構成されたパッドタイプ使い捨ておむつ２００は、図７に示すように、補助吸収部１０の本体部１２，１３のうち液透過部分１２を前側に倒すとともに、その先端側の吸収部分１３を後側に倒した状態とすることができ、かつこの状態で吸収部分１３は少なくともトップシート２２側の面から尿を吸収可能となるため、後側へ移動する尿を図中に二点鎖線矢印で示すように液透過部分１２を透過させて吸収部分１３とトップシート２２との間に誘導し、トップシート２２を透過させて主に下側の吸収体２３により吸収することができる。この際、吸収部分１３は尿により濡れる部分（トップシート２２や液透過部分１２）をカバーして肌への接触を防止する機能を果たすことになる。特に、図示形態では、補助吸収部１０が前述の傾斜浮上姿勢となるため、吸収部分１３が前側ほどトップシート２２から浮き上がり、液透過部分１２が立ち上がるため、吸収部分１３とトップシート２２との隙間が大きくなり、液透過部分１２を介した吸収部分１３裏側への尿導入が促進される。
【００３３】
他方、補助吸収部１０の吸収部分１３は、図示形態のように先端側及び付け根部１１側の２つの部分に分離可能とすることができる。具体的に図示形態では、吸収部分１３に含まれる吸収体３を２つに分割して先端側及び付け根部１１側にそれぞれ設けるとともに、両吸収体３間の部分における第一シート１及び第二シート２をホットメルト接着剤５等により接合し、かつ両吸収体３間の部分に中間部ミシン目１６を設け、この中間部ミシン目１６を切り離すことにより、吸収部分１３を先端側と付け根部１１側とに分離できるようになっている。このような構造を採用すると、図９及び図１０に示すように、吸収部分１３を２つの部分に分離することにより、吸収部分１３の先端側の分離部分１３Ｔは先端部がトップシート２２に固定された状態で残り、前側へ移動する尿をこの残置分離部分１３Ｔとトップシート２２との間に尿を誘導して主に下側の吸収体２３により吸収することができる。一方、吸収部分１３の付け根部１１側の分離部分１３Ｂは、液透過部分１２を前側に倒しつつ後側に倒した状態とすることが可能であり、かつこの状態でトップシート２２側の面から尿を吸収可能となる。もちろん、吸収部分１３は分離せずに使用することも可能である（図７及び図８参照）。
【００３４】
さらに、この補助吸収部１０の吸収部分１３を分離可能とした形態において、その分離に関係なく、補助吸収部１０を前述の傾斜浮上姿勢とするために、図示形態のように、非分離状態で傾斜浮上姿勢としたときの吸収部分１３の先端が当接する位置と、分離状態で傾斜浮上姿勢としたときの、吸収部分１３の付け根部１１側の部分の先端が当接する位置とに、立体ギャザー３０の非起立部３５をそれぞれ設けるのも好ましい形態である。
【００３５】
図示しないが、この形態を応用し、補助吸収部１０の付け根部１１より後側に、立体ギャザー３０の非起立部３５を前後方向に間隔を空けて複数設けて、補助吸収部１０の先端部を当接させる非起立部３５を適宜選択することにより、補助吸収部１０を傾斜浮上姿勢としたときの傾斜角度を調節する構造とすることも可能である。
【産業上の利用可能性】
【００３６】
本発明は、パッドタイプ、パンツタイプ若しくはテープタイプ等、使い捨ておむつ全般に利用できるものである。
【符号の説明】
【００３７】
２００…パッドタイプ使い捨ておむつ、１…第一シート、２…第二シート、３…吸収体、１０…補助吸収部、１１…付け根部、１２，１３…本体部、１２…液透過部分、１３…吸収部分、１４…本体部の先端部、１５…先端部ミシン目、１６…中間部ミシン目、２１…不透液性シート、２２…トップシート、２３…主吸収体、２３ｎ…括れ部分、２５…中間シート、２６…外装シート、３０…立体ギャザー、３１…立体ギャザーシート、３３…立体ギャザー弾性部材。
【図１】
0005933256.tif 000002
【図２】
0005933256.tif 000003
【図３】
0005933256.tif 000004
【図４】
0005933256.tif 000005
【図５】
0005933256.tif 000006
【図６】
0005933256.tif 000007
【図７】
0005933256.tif 000008
【図８】
0005933256.tif 000009
【図９】
0005933256.tif 000010
【図１０】
0005933256.tif 000011